(57)【要約】【課題】  縁なしプリントを行う場合に、インク付与領域を必要最小限の大きさに設定して、インクミストの発生を低減すること。【解決手段】  被プリント媒体上の第１領域４００および被プリント媒体の端部からはみ出した第２領域４０１，４０３に対して、着色剤を付与して画像をプリントする際に、第２領域４０１，４０３のはみ出し量として、異なる量ずつ段階的に変化する少なくとも２つのはみ出し量の内の１つを設定する。【選択図】  図５
2005216189.tif 000002
【特許請求の範囲】
【請求項１】
被プリント媒体上の第１領域および前記被プリント媒体の所定の端部からはみ出した第２領域に対して、着色剤を付与して画像をプリントする際のプリント条件を設定するためのプリント条件設定方法であって、
前記端部からの前記第２領域のはみ出し量として、異なる量ずつ段階的に変化する少なくとも２つのはみ出し量の内の１つを設定する工程を有することを特徴とするプリント条件設定方法。
【請求項２】
前記第２領域は、前記被プリント媒体の異なる方向に位置する複数の前記端部のそれぞれからはみ出した領域であり、
前記複数の端部からの前記第２領域のはみ出し量のそれぞれを個別に設定する
ことを特徴とする請求項１に記載のプリント条件設定方法。
【請求項３】
前記第２領域は、前記被プリント媒体の少なくとも第１および第２の端部のそれぞれからはみ出した領域であり、
前記第１の端部からの前記第２領域のはみ出し量として設定可能な複数のはみ出し量と、前記第２の端部からの前記第２領域のはみ出し量として設定可能な複数のはみ出し量は、段階的な変化量が異なることを特徴とする請求項２に記載のプリント条件設定方法。
【請求項４】
前記複数の端部は、上下左右の端部であることを特徴とする請求項２または３に記載のプリント条件設定方法。
【請求項５】
予め定められた複数のはみ出し量レベルの１つを指定することにより、その指定したはみ出し量レベルに応じて、前記複数の端部からの前記第２領域のはみ出し量を関連的に設定することを特徴とする請求項２から４のいずれかに記載のプリント条件設定方法。
【請求項６】
前記複数のはみ出し量レベルと、前記複数の端部からの前記第２領域のはみ出し量と、を関連付けて記憶するテーブルを用いて、前記複数の端部からの前記第２領域のはみ出し量を関連的に設定することを特徴とする請求項５に記載のプリント条件設定方法。
【請求項７】
被プリント媒体上の第１領域および前記被プリント媒体の端部からはみ出した第２領域に対して、着色剤を付与して画像をプリントする際のプリント条件を設定するためのプリント条件設定方法であって、
予め定められた複数のはみ出し量レベルの中から１つのはみ出し量レベルを指定する工程と、
前記指定したはみ出し量レベルに応じて、少なくとも第１および第２の前記端部それぞれからの前記第２領域のはみ出し量として、第１および第２のはみ出し量を設定する工程とを有し、
所定のはみ出し量レベルが指定されたときに設定される第１のはみ出し量に対する、前記所定のはみ出し量レベルよりも小さいはみ出し量レベルが指定されたときに設定される第１のはみ出し量の低減率は、前記所定のはみ出し量レベルが指定されたときに設定される第２のはみ出し量に対する、前記小さいはみ出し量レベルが指定されたときに設定される第２のはみ出し量の低減率よりも大きいことを特徴とするプリント条件設定方法。
【請求項８】
被プリント媒体上の第１領域および前記被プリント媒体の所定の端部からはみ出した第２領域に対して、着色剤を付与して画像をプリントする際のプリント条件を設定するためのプログラムであって、
前記端部からの前記第２領域のはみ出し量として、異なる量ずつ段階的に変化する複数のはみ出し量の内の１つを設定する工程をコンピュータに実行させることを特徴とするプログラム。
【請求項９】
被プリント媒体上の第１領域および前記被プリント媒体の端部からはみ出した第２領域に対して、着色剤を付与して画像をプリントするプリント方法であって、
前記端部からの前記第２領域のはみ出し量として、異なる量ずつ段階的に変化する少なくとも２つのはみ出し量の内の１つを設定してから、前記画像をプリントすることを特徴とするプリント方法。
【請求項１０】
被プリント媒体上の第１領域および前記被プリント媒体の所定の端部からはみ出した第２領域に対して、着色剤を付与して画像をプリント可能なプリンタと、
前記端部からの前記第２領域のはみ出し量として、異なる量ずつ段階的に変化する少なくとも２つのはみ出し量の内の１つを設定可能な制御装置と、
を含むことを特徴とするプリントシステム。
【請求項１１】
被プリント媒体上の第１領域および前記被プリント媒体の所定の端部からはみ出した第２領域に対して、着色剤を付与して画像をプリント可能なプリンタであって、
前記端部からの前記第２領域のはみ出し量として、異なる量ずつ段階的に変化する少なくとも２つのはみ出し量の内の１つを設定可能な制御手段を備える
ことを特徴とするプリンタ。
【発明の詳細な説明】
【技術分野】
【０００１】
本発明は、被記録媒体に余白を設けず画像をプリントする、いわゆる「縁なしプリント」を実現するためのプリント条件設定方法、プログラムおよびプリント方法に関するものである。
【背景技術】
【０００２】
縁なしプリントを行う場合には、被プリント媒体の端部よりも内側の第１領域と、被プリント媒体の端部よりも外側にはみ出した第２領域と、を含む領域（着色剤付与領域、インク付与領域、またはプリント領域ともいう）に対して、インクなどの着色剤を付与することにより、被プリント媒体の少なくとも１つの端部に余白を設けずにプリントを行う。
【０００３】
このような縁なしプリントを行うプリンタ（プリント装置）においては、被プリント媒体の供給精度の誤差によって被プリント媒体が斜めに搬送される状況（斜行）などを想定して、インク付与領域が充分に大きく設定されている。すなわち、このようなプリンタが推奨するインク付与領域は、被プリント媒体が記録位置において斜めに搬送されたとしても被プリント媒体がインク付与領域から外れないように、被プリント媒体の端部から大きくはみ出る充分に大きな領域として設定されている。実際には、インク付与領域は、プリンタが推奨するほど大きくはみ出して設定する必要がなく、被プリント媒体からのはみ出し量を小さく調整することが可能である。
【０００４】
そこで従来より、プリンタが推奨するはみ出し量を基準として、そのはみ出し量を段階的に小さく調整する方法が提案されている（特許文献１）。例えば、ユーザによって指定されたはみ出し量の段階数に基づいて、はみ出し量を段階的に小さく調整する。その場合、ユーザが選択的に指定可能な段階数分だけ、被プリント媒体の端部からプリンタ推奨のはみ出し量を等分割し、ユーザが指定した段階に応じて、はみ出し量を一定量ずつ段階的に調整する。例えば、被プリント媒体の上下左右方向の端部からのはみ出し量をプリンタが推奨するはみ出し量よりも段階的に小さく調整する場合、上下左右の端部からのはみ出し量のそれぞれは、一定量ずつ関連的に小さく調整されることになる。
【０００５】
【特許文献１】特開２００３−１７７８９８号公報
【発明の開示】
【発明が解決しようとする課題】
【０００６】
近年、プリンタは小型化される傾向にあり、プリンタ内部の体積も小さくなっている。その結果、プリンタ内部におけるインクミストの密度が高くなり、被プリント媒体やプリンタ本体はインクミストの影響をより受けやすくなっている。インクミストは、被プリント媒体にインクを付与した際に発生する。例えば、インクを吐出可能なインクジェットプリントヘッドを用いて画像をプリントする場合には、そのプリントヘッドから吐出されたインクが被プリント媒体上に着弾した際、その衝撃でインクが飛散することによってインクミストが発生する。その場合、インクミスト発生要因としては、インクの吐出量（インクが付与される面積に対応）および被プリント媒体のインク吸収率などが挙げられる。
【０００７】
縁なしプリントを行う場合には、被プリント媒体上からはみ出した領域に対してもインクを付与するため、インクの付与領域が増大する分、インクミストが発生しやすくなる。インクジェットプリントヘッドを用いる場合、被プリント媒体上からはみ出した領域に吐出されたインクは、インク吸収体によって吸収される。インク吸収体は被プリント媒体よりもインクの吸収率が悪いため、そのインク吸収体に吐出されたインクが弾かれて、より一層インクミストが発生しやすくなる。
【０００８】
特許文献１に記載されているように、被プリント媒体の端部からのはみ出し量を単に一定量ずつ段階的に調整する構成では、インク付与領域の大きさの調整の自由度を高めるためには、はみ出し量の調整段階の数を増大させる必要がある。特に、被プリント媒体の上下左右方向の端部からのはみ出し量を段階的に調整する場合には、上下左右の端部からのはみ出し量のそれぞれが一定量ずつ関連的に小さく調整されるため、インクミストの発生を低減すべくインク付与領域を必要最小限の大きさに設定することが難しかった。
【０００９】
本発明の目的は、縁なしプリントを行う場合に、インク付与領域を必要最小限の大きさに設定して、インクミストの発生を低減することができるプリント条件設定方法、プログラムおよびプリント方法を提供することにある。
【課題を解決するための手段】
【００１０】
本発明のプリント条件設定方法は、被プリント媒体上の第１領域および前記被プリント媒体の所定の端部からはみ出した第２領域に対して、着色剤を付与して画像をプリントする際のプリント条件を設定するためのプリント条件設定方法であって、前記端部からの前記第２領域のはみ出し量として、異なる量ずつ段階的に変化する少なくとも２つのはみ出し量の内の１つを設定する工程を有することを特徴とする。
【００１１】
本発明のプリント条件設定方法は、被プリント媒体上の第１領域および前記被プリント媒体の端部からはみ出した第２領域に対して、着色剤を付与して画像をプリントする際のプリント条件を設定するためのプリント条件設定方法であって、予め定められた複数のはみ出し量レベルの中から１つのはみ出し量レベルを指定する工程と、前記指定したはみ出し量レベルに応じて、少なくとも第１および第２の前記端部それぞれからの前記第２領域のはみ出し量として、第１および第２のはみ出し量を設定する工程とを有し、所定のはみ出し量レベルが指定されたときに設定される第１のはみ出し量に対する、前記所定のはみ出し量レベルよりも小さいはみ出し量レベルが指定されたときに設定される第１のはみ出し量の低減率は、前記所定のはみ出し量レベルが指定されたときに設定される第２のはみ出し量に対する、前記小さいはみ出し量レベルが指定されたときに設定される第２のはみ出し量の低減率よりも大きいことを特徴とする。
【００１２】
本発明のプログラムは、被プリント媒体上の第１領域および前記被プリント媒体の所定の端部からはみ出した第２領域に対して、着色剤を付与して画像をプリントする際のプリント条件を設定するためのプログラムであって、前記端部からの前記第２領域のはみ出し量として、異なる量ずつ段階的に変化する複数のはみ出し量の内の１つを設定する工程をコンピュータに実行させることを特徴とする。
【００１３】
本発明のプリント方法は、被プリント媒体上の第１領域および前記被プリント媒体の端部からはみ出した第２領域に対して、着色剤を付与して画像をプリントするプリント方法であって、前記端部からの前記第２領域のはみ出し量として、異なる量ずつ段階的に変化する少なくとも２つのはみ出し量の内の１つを設定してから、前記画像をプリントすることを特徴とする。
【００１４】
本発明のプリントシステムは、被プリント媒体上の第１領域および前記被プリント媒体の所定の端部からはみ出した第２領域に対して、着色剤を付与して画像をプリント可能なプリンタと、前記端部からの前記第２領域のはみ出し量として、異なる量ずつ段階的に変化する少なくとも２つのはみ出し量の内の１つを設定可能な制御装置と、を含むことを特徴とする。
【００１５】
本発明のプリンタは、被プリント媒体上の第１領域および前記被プリント媒体の所定の端部からはみ出した第２領域に対して、着色剤を付与して画像をプリント可能なプリンタであって、前記端部からの前記第２領域のはみ出し量として、異なる量ずつ段階的に変化する少なくとも２つのはみ出し量の内の１つを設定可能な制御手段を備えることを特徴とする。
【発明の効果】
【００１６】
本発明によれば、被プリント媒体上の第１領域および被プリント媒体の端部からはみ出した第２領域に対して、着色剤を付与して画像を縁なしプリントする際に、第２領域のはみ出し量として、異なる量ずつ段階的に変化する複数のはみ出し量の内の１つを設定することにより、そのはみ出し量を単に一定量ずつ段階的に調整する場合に比して、はみ出し量の調整段階の数を増大させることなくはみ出し量を大きく調整することができる。この結果、インクミストの発生を低減すべく、インク付与領域を速やかに必要最小限の大きさに設定することができる。
【００１７】
また、被プリント媒体の異なる方向（上下左右の方向など）におけるはみ出し量は、指定されたはみ出し量レベルに応じて関連的に設定することができる。その場合には、インクミストを低減する上においてはみ出し量の調整が特に効果的である方向に関して、そのはみ出し量を他の方向のはみ出し量よりも大きく調整することにより、インクミストの発生を低減すべく、インク付与領域を速やかに必要最小限の大きさに設定することができる。
【発明を実施するための最良の形態】
【００１８】
以下、添付図面に基づいて本発明の実施形態について説明する。  
図１は、本発明の一実施形態としてのプリントシステムのブロック図である。なお、以下の説明において、「モジュール」は、それぞれハードウェアであってもソフトウェアであってもよい。
【００１９】
コンピュータ装置１００は、ＣＰＵ１０１、ＲＯＭ１０２、ＲＡＭ１０３、プリントデータ記憶モジュール１０４、画像処理モジュール１０５、プリント処理方法設定モジュール１０６、プリント処理方法記憶モジュール１０７、問合せモジュール１０８、上下左右はみ出し量格納ファイル１０９、プリントデータ変換モジュール１１０、および送信制御モジュール１１１を備える。このコンピュータ装置（制御装置）１００は、プリンタ（プリント装置）１１２と共にプリントシステムを構成する。
【００２０】
モジュール（プログラム）はＲＯＭ１０２に記憶されており、ＲＡＭ１０３にロードされて、ＣＰＵ１０１によって実行される。このプログラムの実行により、コンピュータ装置１００は後述するような特徴的な機能を発揮する。プリント処理方法設定モジュール１０６は、ユーザがオリジナルデータのプリント処理方法の設定内容を変更するときに利用され、後述するユーザインタフェイスもここに含まれる。問合せモジュール１０８は、プリント処理方法設定モジュール１０６により設定された処理方法に従属する関連情報の問合せをする。本例の場合、問合せモジュール１０８は、上下左右はみ出し量格納ファイル１０９を参照して、上下左右はみ出し量を取得する。プリント処理方法記憶モジュール１０７は、プリント処理方法設定モジュール１０６および問合せモジュール１０８で設定された情報を記憶する。画像処理モジュール１０５は、プリント処理方法記憶モジュール１０７に記憶されたプリント処理方法に応じて、オリジナルデータからプリントデータを作成する。プリントデータ記憶モジュール１０４は、画像処理モジュール１０５で作成されたプリントデータを記憶する。
【００２１】
プリントデータ変換モジュール１１０は、画像処理モジュール１０５で作成されたプリントデータを、プリント装置（プリンタ）が出力（プリント）できるデータ形式に変換する。送信制御モジュール１１１は、プリントデータ変換モジュール１１０で変換されたプリントデータをプリンタ１１２に送信する。
【００２２】
次に、本プリントシステムにおいて、「縁なしプリント」を実現するための一連の処理の流れを図２に基づいて説明する。
【００２３】
まず、ユーザは、図３に示すようなユーザインタフェイス画面２００を用いて、プリント処理方法を選択する。プリント処理方法とは、プリントデータの量子化の方法やプリント品位等のことである。縁なしプリント処理を行うか否かの選択（ステップＳ１０１）もユーザインタフェイス画面２００を用いて行われる。プリント処理方法は、縁なしプリント処理を行うか否かを含めて、プリント処理方法設定モジュール１０６によって設定される。
【００２４】
縁なしプリントを行う場合には、図４に示すようなユーザインタフェイス画面３００が表示される。図４の例では、ユーザがカーソルによってつまみＫを左右にドラッグすることによって、後述する上下左右のはみ出し量の大きさ（はみ出し量レベル）を指定することができる。このユーザインタフェイス画面３００においては、はみ出し量レベルとして、０、小、中、大の４レベルが選択可能である。
【００２５】
ユーザが縁なしプリントを実行する場合にはステップＳ１０３に進み、問い合わせモジュール１０８によって、上下左右はみ出し量の取得作業を行う。すなわち、問い合わせモジュール１０８は、上下左右はみ出し量格納ファイル１０９を参照し、選択されたはみ出し量レベルに応じて、図５に示すような上下左右のはみ出し量ＬＴ，ＬＢ，ＬＬ，ＬＲを取得する。図５において４００は、被プリント媒体としての用紙の端部よりも内側の第１領域であり、その用紙のサイズに対応する。４０１は、その用紙の端部よりも外側にはみ出した第２領域である。縁なしプリントの際には、これらの領域４００，４０１を含む領域に対して、インクなどの着色剤を付与することになるため、これらの領域４００，４０１を含む領域を「インク付与領域」，「着色剤付与領域」，または「プリント領域」ともいう。ＬＴは、第２領域４０１が第１領域４００から上方にはみ出るはみ出し量であり、同様に、ＬＢは下方へのはみ出し量、ＬＬは左方へのはみ出し量、ＬＲは右方へのはみ出し量である。この図５および後述する図８，図９，図１０においては、はみ出し量ＬＴ，ＬＢ，ＬＬ，ＬＲを分かりやすくするために、それらを大きく強調して表している。
【００２６】
上下左右はみ出し量格納ファイル１０９の一例として、図６に、縁なしはみ出し量ルックアップテーブルを挙げる。縁なしはみ出し量ルックアップテーブルは、はみ出し量レベル毎（０、小、中、大）に、上下左右はみ出し量ＬＴ，ＬＢ，ＬＬ，ＬＲの値が格納されている。本例の場合、はみ出し量レベルの「大」のときの各はみ出し量ＬＴ，ＬＢ，ＬＬ，ＬＲの値は、プリント装置本体が推奨するはみ出し量（推奨はみ出し量）とされている。はみ出し量ＬＢ，ＬＬ，ＬＲは、はみ出し量レベルの「大」のときのはみ出し量を基準にして、はみ出し量レベルが「中」，「小」となるにしたがって約１／３ずつ減少し、そしてはみ出し量レベルが「０」のときに値が「０」となる。しかし、上方のはみ出し量ＬＴのみは、はみ出し量レベルの「大」のときのはみ出し量を基準にして、はみ出し量レベルが「中」，「小」となるにしたがって大幅に減少し、そしてはみ出し量レベルが「０」のときに値が「０」となる。このように上下左右のはみ出し量ＬＴ，ＬＢ，ＬＬ，ＬＲの内、上方のはみ出し量ＬＴのみをより大きく低減させるように調整することは、インクミスト低減に最も効果的である。その有効性については後述する。
【００２７】
上下左右のはみ出し量ＬＴ，ＬＢ，ＬＬ，ＬＲを取得してからステップＳ１０４に進み、プリント領域（インク付与領域）を計算する。このステップＳ１０４以降の処理は、画像処理モジュール１０５によって行う。図５において、４０３は、プリント装置が推奨するインク付与領域（推奨インク付与領域）であり、第１領域と、その第１領域４００から推奨はみ出し量だけ上下左右にはみ出した第２領域と、を含む領域である。取得したはみ出し量（選択されたはみ出し量レベルに対応するはみ出し量）ＬＴ，ＬＢ，ＬＬ，ＬＲを第１領域４００に換算することによって、選択されたはみ出し量レベルに対応するインク付与領域を求める。図５中の４０１は、このようにして求めたインク付与領域の一例を示す。はみ出し量レベルの「大」が選択されたときは、特に計算をすることなく、推奨インク付与領域をそのままプリント領域として用いることができる。
【００２８】
プリント領域を求めた後はステップＳ１０５に進み、プリントデータの拡大率を計算する。以下においては、プリント領域として、図５中のインク付与領域４０１が求められた場合について説明する。本例においては、図８のように、用紙サイズに対応する第１領域４００の左右方向の長さＢと、インク付与領域４０１の左右方向の長さＡとの比（Ａ／Ｂ）と、前者の前後方向の長さＤと後者の前後方向の長さＣとの比（Ｃ／Ｄ）を計算し、それらの比の大きい方を拡大率として設定する。ここで仮に、（Ａ／Ｂ）＜（Ｃ／Ｄ）の関係が成りたった場合には、拡大率は比（Ｃ／Ｄ）となる。その拡大率は、プリント処理方法記憶モジュール１０７に記憶される。図８における６００は、用紙サイズの第１領域４００にプリントされるべきプリントデータ（本例の場合は、星型の図形）である。
【００２９】
このようにして拡大率を求めた後はステップＳ１０６に進み、その拡大率によってプリントデータ６００の拡大処理を行う。その処理結果は、プリントデータ記憶モジュール１０４に順次記憶される。図９において７０１は、比（Ａ／Ｂ）よりも大きい比（Ｃ／Ｄ）を拡大率として、第１領域４００を拡大した領域であり、領域４０１よりも左右方向において大きくなる。また７００は、同じ拡大率（Ｃ／Ｄ）によってプリントデータ６００を拡大したものである。
【００３０】
このような拡大処理の後にステップＳ１０７に進み、プリントデータ７００に対するセンタリング処理を行う。例えば、領域７０１の上下方向および左右方向の中心にプリントデータ７００を配置させるように、上下方向および左右方向における位置調整量を算出する。このような上下方向および左右方向の位置調整量に基づいて、インク吐出領域７０１におけるプリントデータ７００のプリント開始位置を決定する。その処理結果は、プリントデータ記憶モジュール１０４に順次記憶される。
【００３１】
このようなセンタリング処理の後にステップＳ１０８に進み、プリントデータ７００のクリッピング処理を行う。このクリッピング処理では、領域４０１のデータを用い、その領域４０１の外にはみ出るプリントデータ部分８００をクリッピングする。領域７０１よりも小さい領域４０１を用いてクリッピングすることによって、インク吐出領域を小さくして、インクミストの発生を抑制することができる。このようなクリッピング処理の結果は、プリントデータ記憶モジュール１０４に順次記憶される。
【００３２】
次に、図６のように、上下左右のはみ出し量ＬＴ，ＬＢ，ＬＬ，ＬＲの内、上方のはみ出し量ＬＴのみをより大きく低減させるように調整することの有効性について説明する。
【００３３】
縁なしプリントが可能なプリント装置は、その本体内に、被プリント媒体からはみ出た領域に付与されるインクを受容するためのインク吸収体を備えている。また、そのプリント装置が後述するようなシリアルスキャン方式のものである場合には、被プリント媒体を搬送する副走査方向と交差（通常は直交）する主走査方向に沿って、プリントヘッドを往復移動させる構成が備えられる。シリアルスキャン方式の記録装置においては、このように、装置本体内にインク吸収体の配置する関係上、およびプリントヘッドの可動範囲が規制される関係上、プリント装置の推奨インク付与領域の大きさは主走査方向において制約を受けることになる。そのため、主走査方向におけるプリント装置の推奨はみ出し量の大きさは、副走査方向におけるはみ出し量よりも小さくなる。
【００３４】
図７（Ａ），（Ｂ）に基づいて、より具体的に説明する。これらの図において矢印Ａは、シリアルスキャン方式のプリント装置における主走査方向であり、被プリント媒体の上下方向に相当する。また、矢印Ｂは副走査方向であり、被プリント媒体の左右方向に相当する。プリントヘッドとして、インクを吐出可能なインクジェットプリントヘッドを用いた場合には、そのプリントヘッドが主走査方向に移動しつつインクを吐出する動作と、被プリント媒体を副走査方向に所定量搬送する動作と、を繰り返すことによって、被プリント媒体上に画像が記録される。領域５０１は用紙サイズに対応する第１領域、領域５０５はプリント装置の推奨インク付与領域、領域５０２は、前述したように指定されたはみ出し量に対応するインク付与領域を示している。推奨インク付与領域５０５は、矢印Ａの主走査方向においては第１領域５０１から比較的小さくはみ出しており、矢印Ｂの副走査方向においては第１領域５０１から比較的大きくはみ出している。図７（Ａ）中の領域５０３は、矢印Ａの主走査方向における領域５０５，５０２の相互間の差分の領域であり、図７（Ｂ）中の領域５０４は、矢印Ｂの副走査方向における領域５０５，５０２の相互間の差分の領域である。
【００３５】
このように、矢印Ａの主走査方向における推奨インク付与領域５０５のはみ出し量が大きいため、インク付与領域を小さくしてインクミストの発生を抑える上においては、その主走査方向におけるはみ出し量を小さくすることがきわめて有効となる。さらに、被プリント媒体の搬送精度の問題から、それが記録位置に対して斜めに搬送される斜行が生じた場合、被プリント媒体の図７（Ａ），（Ｂ）の下端は、その上端からの位置ずれが累積するために斜行の影響を受けやすい。そのため、その被プリント媒体の下端から図７（Ａ），（Ｂ）中の下方へのはみ出し量、および矢印Ａの主走査方向におけるはみ出し量を小さくすることは難しい。このような理由から、被プリント媒体の上下方向を主走査方向とし、その左右方向を副走査方向とした場合に、上下左右のはみ出し量の内、上方のはみ出し量が最も小さくしやすく、それを小さくすることによって、インクミストの発生を抑え、しかも斜行が生じた場合にも画像を被プリント媒体上に確実に縁なしプリントすることができる。
【００３６】
このようなことは、いわゆるフルラインタイプのプリント装置においても同様である。フルラインタイプのプリント装置は、被プリント媒体における記録領域の幅方向の全域に渡って延在する長尺なプリントヘッドを用いて、被プリント媒体を長さ方向に連続的に搬送しつつ、その被プリント媒体上に画像をプリントすることになる。このようなプリント装置において、被プリント媒体の幅方向を左右方向、その長さ方向を上下方向とした場合には、上述したシリアルスキャンタイプのプリント装置と同様に、上下左右のはみ出し量の内、上方のはみ出し量が最も小さくしやすく、それを小さくすることによって、インクミストの発生を抑え、しかも斜行が生じた場合にも画像を被プリント媒体上に確実に縁なしプリントすることができる。
【００３７】
「プリンタの構成例」
図１１は、フチなし印刷が可能なプリンタの構成例を説明するための斜視図、図１２は、そのプリンタの制御系のブロック構成図である。
【００３８】
本例のプリンタは、シリアルスキャン方式の記録装置であり、ガイド軸２０２によって、キャリッジ２００が矢印Ａの主走査方向に移動自在にガイドされている。キャリッジ２００にはベルト２０４が連結され、そのベルト２０４はプーリ２０５，２０６の間に架け渡されている。キャリッジモータ２０３によって駆動されるプーリ２０５の回転方向に応じて、ベルト２０４を介して、キャリッジ２００が主走査方向に往復移動する。キャリッジ２００にはプリントヘッド２０１が搭載される。本例のプリントヘッド２０１は、インクを吐出可能なインクジェットプリントヘッドであり、キャリッジ２００に、ブラックインク吐出用のプリントヘッド２０１Ｋ、シアンインク吐出用のプリントヘッド２０１Ｃ、マゼンタインク吐出用のプリントヘッド２０１Ｍ、およびイエローインク吐出用のプリントヘッド２０１Ｙを搭載することによって、カラー画像を記録することができる。プリントヘッド２０１は、インクを吐出するためのエネルギーとして、電気熱変換体から発生する熱エネルギーを利用するものであってもよい。その場合には、電気熱変換体の発熱によってインクに膜沸騰を生じさせ、そのときの発泡エネルギーによって、インク吐出口からインクを吐出することができる。
【００３９】
被プリント媒体としての用紙Ｐは、主走査方向と交差する矢印Ｂの副走査方向に間欠的に搬送される。すなわち、用紙Ｐは、上流側の一対のローラユニット２０７，２０８の間、および下流側の一対のローラユニット２０９，２１０の間に挟持されつつ、プリントヘッド２０１との対向位置にて、主走査方向に搬送される。ローラユニット２０７，２０８および２０９，２１０は、駆動部２１１によって駆動される。それらの駆動には、キャリッジモータ２０３を用いてもよい。
【００４０】
本例のプリンタは、キャリッジ２００と共にプリントヘッド２０１を主走査方向に移動させつつ、用紙Ｐに向かってインクを吐出させる記録動作と、用紙Ｐを所定量だけ副走査方向に搬送する搬送動作と、を繰り返すことによって、用紙Ｐ上に順次画像を記録する。フチなし印刷の実施時に、用紙Ｐ上から外れた位置（はみ出た位置）に吐出されるインクは、図示しないインク吸収体によって吸収される。
【００４１】
キャリッジ２００は、プリント開始時またはプリント中に、必要に応じてホームポジションに移動する。そのホームポジションには、プリントヘッド２０１におけるインク吐出口の形成面をキャップするキャップ部材２１２が備えられている。キャップ部材２１２には、その内部に負圧を導入可能な吸引ポンプなどが接続されており、プリントヘッド２０１のインク吐出口を覆ったキャップ部材２１２内に負圧を導入することによって、インク吐出口からインクを吸引排出させて、プリントヘッド２０１の良好なインク吐出状態を維持すべく回復処理（「吸引回復処理」ともいう）をする。また、キャップ部材２１２内に向かって、インク吐出口から画像の記録に寄与しないインクを吐出させることによって、プリントヘッド２０１の良好なインク吐出状態を維持すべく回復処理（「吐出回復処理」ともいう）をすることができる。
【００４２】
このようなプリンタの制御系の概略ブロック構成を示す図１２において、ＣＰＵ３００は、本例のプリンタの動作の制御処理やデータ処理等を実行する。ＲＯＭ３０１は、それらの処理手順等のプログラムが格納され、またＲＡＭ３０２は、それらの処理を実行するためのワークエリアなどとして用いられる。プリントヘッド２０１からのインクの吐出は、ＣＰＵ３００が電気熱変換体などの駆動データ（画像データ）および駆動制御信号（ヒートパルス信号）をヘッドドライバ２０１Ａに供給することにより行われる。ＣＰＵ３００は、キャリッジ２００を主走査方向に駆動するためのキャリッジモータ２０３をモータドライバ２０３Ａを介して制御し、また用紙Ｐを副走査方向に搬送するためのＰ．Ｆモータ３０４をモータドライバ３０４Ａを介して制御する。
【００４３】
（他の実施形態）
上述した実施形態においては、図６のように、上下左右のはみ出し量ＬＴ，ＬＢ，ＬＬ，ＬＲの内、右方のはみ出し量ＬＲは一定量ずつ段階的に調整され、下方と左方のはみ出し量ＬＢ，ＬＬは、それぞれ一定量ずつ段階的に調整され、上方のはみ出し量ＬＴは大きく異なる量ずつ段階的に調整される。したがって、上方のはみ出し量ＬＴは、同じ調整段階数であっても大きく調整することができ、他の方向のはみ出し量ＬＢ，ＬＬ，ＬＲと関連して、インクミストの発生を低減すべく必要最小限の量に設定することができる。このように、インクミストを低減する上においてはみ出し量の調整が特に効果的である方向に関して、そのはみ出し量が他の方向のはみ出し量よりも大きく調整されることになる。
【００４４】
また、被プリント媒体の少なくとも１つの端部からの第２領域のはみ出し量として、異なる量ずつ段階的に変化する複数のはみ出し量の内の１つを調整することにより、そのはみ出し量を単に一定量ずつ段階的に調整する場合に比して、はみ出し量の調整段階の数を増大させることなく、はみ出し量を大きく調整して速やかに必要最小限の量に設定することができる。また、被プリント媒体の異なる方向（上下左右の方向など）におけるはみ出し量は、上述したように指定されたはみ出し量レベルに応じて関連的に設定する他、それらを個別に設定するようにしてもよい。
【００４５】
また、はみ出し量を設定する代わりに、第２領域として、被プリント媒体の端部から異なる量ずつ段階的にはみ出る複数の領域の内の１つを設定することもできる。また、プリントシステムを構成するコンピュータ装置（制御装置）１００とプリンタ１１２は、結合してプリンタを構成するものであってもよい。
【００４６】
また、はみ出し量の調整状態を表示画面によってユーザに確認させるように構成してもよい。その場合には、はみ出し量の調整に応じて大きさや位置が変化するプリント領域（インク付与領域）の画像と、用紙の輪郭映像とを重ねて表示することもできる。
【００４７】
また、プリンタとしては、インクジェットプリントヘッドを用いたインクジェットプリント方式の他、種々のプリント方式のものを採用することができる。すなわち、インク以外の着色材によって画像をプリントする場合にも適用可能である。また、インクジェットプリントヘッドにおけるインクの吐出方式は、電気熱変換体を用いた方式のみに限定されず任意であり、例えば、ピエゾ素子などの素子を用いた吐出方式であってもよい。また、プリンタとしては、被プリント媒体における記録領域の幅方向の全域に渡って延在する長尺なプリントヘッドを用いて画像をプリントする、いわゆるフルラインタイプのものを採用することもできる。
【図面の簡単な説明】
【００４８】
【図１】本発明の実施形態に係るプリントシステムのブロック構成図である。
【図２】図１のプリントシステムの処理手順を説明するためのフローチャートである。
【図３】図１のプリントシステムにおけるユーザインタフェイスの表示画面の説明図である。
【図４】図１のプリントシステムにおけるユーザインタフェイスの他の表示画面の説明図である。
【図５】図１のプリントシステムの縁なしプリント時におけるはみ出し量の説明図である。
【図６】図１のプリントシステムにおけるはみ出し量ルックアップテーブルの説明図である。
【図７】（Ａ）は、図１のプリントシステムにおける左右方向のはみ出し量の調整範囲の説明図、（Ｂ）は、その上下方向のはみ出し量の調整範囲の説明図である。
【図８】図１のプリントシステムにおけるはみ出し量のインク付与領域の説明図である。
【図９】図１のプリントシステムにおける拡大処理の説明図である。
【図１０】図１のプリントシステムにおけるクリッピング処理の説明図である。
【図１１】本発明を適用可能なプリンタの構成例を説明するための要部の斜視図である。
【図１２】図１１のプリンタの制御系のブロック構成図である。
【符号の説明】
【００４９】
１００    コンピュータ装置（制御装置）
１０１    ＣＰＵ
１０２    ＲＯＭ
１０３    ＲＡＭ
１０４    プリントデータ記憶モジュール
１０５    画像処理モジュール
１０６    プリント処理方法設定モジュール
１０７    プリント処理方法記憶モジュール
１０８    問合せモジュール
１０９    上下方向はみ出し量かくのファイル
１１０    プリントデータ変換モジュール
１１１    送信制御モジュール
１１２    プリンタ
４００    第１領域
４０１，４０３    第２領域
【図１】
2005216189.tif 000003
【図２】
2005216189.tif 000004
【図５】
2005216189.tif 000005
【図６】
2005216189.tif 000006
【図７】
2005216189.tif 000007
【図８】
2005216189.tif 000008
【図９】
2005216189.tif 000009
【図１０】
2005216189.tif 000010
【図１１】
2005216189.tif 000011
【図１２】
2005216189.tif 000012
【図３】
2005216189.tif 000013
【図４】
2005216189.tif 000014